(57)【要約】【課題】ロック部材が破損しないトリガスイッチを提供する。【解決手段】ハウジング２に前方に突出付勢して設けられたトリガ３と、トリガ３の側部からハウジング２に向かって突出し、且つ、ハウジング２から側方に突出するロックボタン７と係合してトリガ３を引き込んだ状態に固定可能なロック部材５とを有するトリガスイッチ１において、ロック部材５をトリガ３に揺動可能に取り付ける。【選択図】図１
2010023220.tif 000002
【特許請求の範囲】
【請求項１】
ハウジングに、前方に突出付勢して設けられたトリガと、
前記トリガの側部から前記ハウジングに向かって突出し、且つ、前記ハウジングから側方に突出するロックボタンと係合して前記トリガを引き込んだ状態に固定可能なロック部材とを有し、
前記ロック部材を前記トリガに揺動可能に取り付けたことを特徴とするトリガスイッチ。
【請求項２】
前記ロック部材が、前記トリガに多軸に揺動可能に支持されていることを特徴とする請求項１に記載のトリガスイッチ。
【請求項３】
前記ロック部材の揺動は、前記ロック部材と前記トリガとの接続の遊びによって可能となっていることを特徴とする請求項１または２に記載のトリガスイッチ。
【請求項４】
前記ロック部材および前記トリガは、いずれか一方が互いに相反する方向に突出する外向きの突起の対を、他方が前記外向きの突起の対に外側から係合するように互いに向かって突出する内向きの突起の対を有し、
前記ロック部材および前記トリガは、いずれか一方が、自身が他方に対して側方へ移動することを規制する第１規制部を有し、且つ、いずれか一方が、自身が他方に対して前記第１規制部が規制する移動と相対的に逆方向へ移動することを規制する第２規制部を有することを特徴とする請求項１から３のいずれかに記載のトリガスイッチ。
【請求項５】
前記ロック部材および前記トリガのいずれか一方が、前記第１規制部および前記第２規制部の両方を有することを特徴とする請求項４に記載のトリガスイッチ。
【請求項６】
前記第１規制部と前記第２規制部とは、前記ロック部材の延伸方向に位置がずらされていることを特徴とする請求項５に記載のトリガスイッチ。
【請求項７】
前記突起の対は、上下方向に配設され、前記外向きの突起の対または前記内向きの突起の対の少なくともいずれかの上側の突起が、下側の突起よりも長いことを特徴とする請求項４から６のいずれかに記載のトリガスイッチ。
【請求項８】
前記外向きの突起の対および前記内向きの突起の対の少なくともいずれかの突起は、手前側に傾斜していることを特徴とする請求項４から７のいずれかに記載のトリガスイッチ。
【請求項９】
前記ロック部材は、前記トリガ側が二股に分岐して形成され、前記分岐の２つの先端に、前記外向きの突起または前記内向きの突起が形成されていることを特徴とする請求項４から８のいずれかに記載のトリガスイッチ。
【発明の詳細な説明】
【技術分野】
【０００１】
本発明はトリガスイッチに関する。
【背景技術】
【０００２】
電動工具に用いられるトリガスイッチにおいて、トリガを引いた状態、つまり、工具を動作状態に保持するロック機構を備えるものがある。そのようなロック機構は、特許文献１に記載されているように、一般に、トリガの側部からトリガスイッチのハウジングに向かってトリガの引き込み方向と平行に延伸するロック部材に、ハウジングに設けたロックボタンを係合させることによって、トリガの突出を係止するように構成されている。
【０００３】
このようなトリガスイッチにおいて、トリガに衝撃が加わると、ロック部材の付け根に応力が集中し、ロック部材が断裂してしまう場合がある。
【０００４】
特に、電動ドリルのように本体から下方にハンドルが突出する形状の電動工具では、落下時にハンドル下端を本体前方に向かって屈曲させるような応力が作用しやすい。このため、トリガスイッチには、トリガを下向きに押し下げるような力が作用し、ロック部材とトリガとの付け根の上部にクラックが生じる事例が多い。
【特許文献１】特開２００４−３５１５４６号公報
【発明の開示】
【発明が解決しようとする課題】
【０００５】
前記問題点に鑑みて、本発明は、ロック部材が破損しないトリガスイッチを提供することを課題とする。
【課題を解決するための手段】
【０００６】
前記課題を解決するために、本発明によるトリガスイッチは、ハウジングに、前方に突出付勢して設けられたトリガと、前記トリガの側部から前記ハウジングに向かって突出し、且つ、前記ハウジングから側方に突出するロックボタンと係合して前記トリガを引き込んだ状態に固定可能なロック部材とを有し、前記ロック部材を前記トリガに揺動可能に取り付けたものとする。
【０００７】
この構成によれば、トリガに引き込み方向と異なる方向に外力が作用しても、ロック部材がトリガに対して揺動可能であるので、ロック部材に応力が集中せず、ロック部材が破損してトリガから脱落することがない。
【０００８】
また、本発明によるトリガスイッチにおいて、前記ロック部材が、前記トリガに多軸に揺動可能に支持されていてもよい。
【０００９】
この構成によれば、トリガの複数の方向の歪みに対して、ロック部材の特定の位置に応力が集中しないようにできる。
【００１０】
また、本発明によるトリガスイッチにおいて、前記ロック部材の揺動は、前記ロック部材と前記トリガとの接続の遊びによって可能としてもよい。
【００１１】
この構成によれば、構成が簡単でありながら十分な揺動範囲を確保でき、且つ、部品の加工精度も要求されない。
【００１２】
また、本発明によるトリガスイッチにおいて、前記ロック部材および前記トリガは、いずれか一方が互いに逆方向に突出する外向きの突起の対を、他方が前記外向きの突起の対に外側から係合するように互いに逆方向に突出する内向きの突起の対を有し、前記ロック部材および前記トリガは、いずれか一方が、自身が他方に対して側方へ移動することを規制する第１規制部を有し、且つ、いずれか一方が、自身が他方に対して前記第１規制部が規制する移動と相対的に逆方向へ移動することを規制する第２規制部を有してもよい。
【００１３】
この構成によれば、内向きの突起の対と外向きの突起の対とが相互に係合してロック部材のトリガトリガ引き込み方向および上下方向の脱離を防止し、第１規制部および第２規制部がロック部材の側方への脱離を防止する。これにより、ロック部材をトリガに脱落しないように取り付けることができる。
【００１４】
また、本発明によるトリガスイッチにおいて、前記ロック部材および前記トリガのいずれか一方が、前記第１規制部および前記第２規制部の両方を有してもよい。
【００１５】
この構成によれば、外向きの突起の対または内向きの突起の対を板状に形成できるので、トリガまたはロック部材を樹脂成型するための金型の製作が容易になる。
【００１６】
また、本発明によるトリガスイッチにおいて、前記第１規制部と前記第２規制部とは、前記ロック部材の延伸方向に位置がずらされていてもよい。
【００１７】
この構成によれば、外向きの突起および内向きの突起の側方の少なくとも片側が開放しているので、樹脂成型するための金型の製作が容易になる。
【００１８】
また、本発明によるトリガスイッチにおいて、前記突起の対は、上下方向に配設され、前記外向きの突起の対および前記内向きの突起の対の上側の突起が、下側の突起よりも長くてもよい。
【００１９】
この構成によれば、上側の外向きの突起と内向きの突起との係合長が長くなるので、トリガを下向きに押し下げる外力が作用したときに、ロック部材がトリガから脱落しにくくなる。
【００２０】
また、本発明によるトリガスイッチにおいて、前記外向きの突起の対および前記内向きの突起の対の少なくともいずれかの突起は、手前側に傾斜していてもよい。
【００２１】
この構成によれば、突起の傾斜により、ロック部材をトリガから引き抜くように外力が作用したとき、外向きの突起の対と内向きの突起の対とが互いに咬合する方向に変形するような応力を発生させる圧力角を形成し、ロック部材の脱落をより一層効果的に防止できる。
【００２２】
また、本発明によるトリガスイッチにおいて、前記ロック部材は、前記トリガ側が二股に分岐して形成され、前記分岐の２つの先端に、前記外向きの突起または前記内向きの突起が形成されていてもよい。
【００２３】
この構成によれば、ロック部材を二股に分岐したことで、先端に形成した突起の対の間隔を変えるように弾性変形させることが容易であり、組立が簡単である。
【発明の効果】
【００２４】
以上のように、本発明によれば、ロック部材がトリガに対して揺動可能であるので、トリガに外力が作用したとき、トリガの変位がロック部材に応力を集中させない。このため、電動工具の落下などによりトリガスイッチのロック部材が破損することがない。
【発明を実施するための最良の形態】
【００２５】
これより、本発明の実施形態について、図面を参照しながら説明する。
図１に、本発明の第１実施形態のトリガスイッチ１を示す、トリガスイッチ１は、接点機構（不図示）を収容した概略箱型のハウジング２と、ハウジング２の前方に突出付勢して設けられたトリガ３と、トリガ３の側部からトリガ３の突出方向と平行逆向きに延伸し、ハウジング２の側部に形成した案内溝４に受け入れられたロック部材５と、ハウジング３から側方に突出するように付勢して設けられ、ハウジング３に向かって押し込むことで、ロック部材５に形成したロック穴６に係合して、ロック部材５を介してトリガ３を引き込んだ状態に係止可能なロックボタン７とを有する。
【００２６】
図２に、トリガ３の形状を示す。トリガ３は、ハウジング２の内部に延伸し、ハウジング２内の接点機構を駆動する軸部８を有する。また、トリガ３は、その側部から、ハウジング側に突出し、先端が互いに対向するように内向きに突出した突起の対９ａ，９ｂを有する。
【００２７】
さらに、図３に、ロック部材５の形状を示す。ロック部材５は、トリガ３に係合する側にスリット１０が形成され、先端が二股に分岐している。ロック部材５のトリガ３側の２つの先端部には、それぞれ、外側に突出する外向きの突起の対１１ａ，１１ｂが形成されている。さらに、ロック部材５は、２つの先端部に、それぞれ、外向きの突起１１ａ，１１ｂのハウジング２側（手前側）の外側（図では上方）を覆う第１規制部１２ａ，１２ｂと、外向きの突起１１ａ，１１ｂの内側（図では下方）からさらにトリガ３側（前側）に突出する第２規制部１３ａ，１３ｂとを有する。
【００２８】
図４に、トリガ３の内向きの突起の対９ａ，９ｂとロック部材５の外向きの突起の対１１ａ，１１ｂとの係合の様子を示す。ロック部材５は、２つの先端部を近づけるように弾性変形させることで、外向きの突起の対１１ａ，１１ｂがトリガ３の内向きの突起の対９ａ，９ｂの内側を通過し、図示するように、互いに係合して、トリガ３とロック部材５との上下方向および前後方向（トリガ３の引き込み方向）の脱離を防止する。
【００２９】
ここで、上側の突起９ａ，１１ａが、下側の突起９ｂ，１１ｂよりも長く形成されていること、並びに、トリガ３の突起９ａ，９ｂはトリガ３側、ロック部材５の突起１１ａ，１１ｂはロック部材５側に、それぞれ手前側に傾斜して形成されていることに留意されたい。
【００３０】
また、第１規制部１２ａ，１２ｂは、二点鎖線で示すように、トリガ３の内向きの突起９ａ，９ｂの先端部の外側（図では紙面手前側）を覆い、第２規制部１３ａ，１３ｂは、トリガ３の内向きの突起９ａ，９ｂの付け根部分の内側（（図では紙面奥行き側）を少なくとも部分的に覆っている。
【００３１】
図５に示すように、ロック部材５の第１規制部１２ａ，１２ｂは、トリガ３の外側（図では左側）への移動（相対的に、ロック部材５自身のトリガ３に対する内側への移動）を規制する。また、ロック部材５の第２規制部１３ａ，１３ｂは、トリガ３の内側（図では右側）への移動（相対的に、ロック部材５自身のトリガ３に対する外側への移動）を規制する。つまり、第１規制部１２ａ，１２ｂおよび第２規制部１３ａ，１３ｂによって、トリガ３とロック部材５とのトリガスイッチ１の側方への互いの脱離を防止している。
【００３２】
以上のようなトリガ３とロック部材５との係合は、それぞれ、僅かに遊びを有しているため、図６および図７に示すように、ロック部材５のトリガ３に対する上下方向および側方への多軸の揺動を可能にする。ロック部材５の揺動可能性は、トリガ３がハウジング２に対して上下方向および左右方向に、取り付けの遊びおよび自身の弾性の範囲内で変位させられたとき、ハウジング２の案内溝４に保持されたロック部材５との相対的な姿勢変化を可能にし、トリガ３とロック部材５との間に変形応力を作用させない。
【００３３】
これにより、トリガスイッチ１を組み込んだ電動工具を落下したときなど、トリガ３をハウジング２に対して無理に変位させる外力が作用しても、ロック部材５が破断して、トリガ３のロックボタン７による固定が不能になることがない。
【００３４】
また、トリガスイッチ１を電動工具に組み込むと、トリガ３が下方に押し下げられるような外力が加わり易い。本実施形態では、トリガ３が下方に押し下げられた際の、ロック部材５のトリガ３からの脱離防止の安全率をより高くするために、上側の突起９ａ，１１ｂを、下側の突起９ｂ，１１ｂよりも互いの係合長が長くなるように形成している。つまり、トリガ３が下方に押し下げられた際、トリガ３およびロック部材５の寸法誤差や、ロック部材５の変形などがあっても、外向きの突起の対９ａ，９ｂと内向きの突起の対１１ａ，１１ｂとの間の十分な係合を確保して、ロック部材５のトリガ３からの脱離を防止できる。
【００３５】
また、本実施形態では、トリガ３の突起９ａ，９ｂをトリガ３側に、ロック部材５の突起１１ａ，１１ｂをロック部材５側に、それぞれ、手前側に傾斜して形成している。このため、トリガ３とロック部材５とを離間させる方向に外力を加えたとき、突起９ａ，９ｂおよび１１ａ，１１ｂの傾斜が圧力角となり、突起９ａ，９ｂと突起１１ａ，１１ｂとが、互いにより深く咬合するように、特にロック部材５を弾性変形させる方向に分力を生じさせる。これによって、ロック部材５のトリガ３からの脱離を防止できる。
【００３６】
図８に、本発明の第２実施形態のトリガスイッチにかかるトリガ３とロック部材５とを示す。尚、これ以降の説明において、先に説明した構成要素と同じ構成要素には同じ符号を付して重複する説明を省略する。本実施形態では、トリガ３に、ロック部材５の外向きの突起１１ａ，１１ｂの少なくとも一部分の外側を覆う第２規制部１４が形成されている。第２規制部１４は、ロック部材５のトリガ３に対する外側（紙面手前側）への移動（相対的に、トリガ３自身の内側への移動）を規制する。
【００３７】
図９に、本発明の第３実施形態のトリガスイッチにかかるトリガ３とロック部材５とを示す。本実施形態では、トリガ３に外向きの突起の対１５ａ，１５ｂが形成され、ロック部材５に外向きの突起の対１５ａ，１５ｂとそれぞれ係合する内向きの突起の対１６ａ，１６ｂが形成されている。また、本実施形態では、トリガ３に、ロック部材５のトリガ３に対する内側（紙面奥側）への移動（相対的に、トリガ３自身の外側への移動）を規制する第１規制部１７と、ロック部材５のトリガ３に対する外側（紙面手前側）への移動（相対的に、トリガ３自身の内側への移動）を規制する第２規制部１８ａ，１８ｂとが形成されている。
【００３８】
本実施形態では、ロック部材５の二股の先端部の間隔を拡げるように弾性変形させることで、ロック部材５をトリガ３に揺動可能に取り付けることができる。
【００３９】
図１０に、本発明の第４実施形態のトリガスイッチにかかるトリガ３とロック部材５とを示す。本実施形態では、トリガ３に円形の係合穴１９が設けられ、ロック部材５に、係合穴１９に遊びを持って嵌合する係合突起２０が設けられている。
【００４０】
図１１に示すように、係合突起２０は、先端に係合穴１９からの抜けを防止する係止部２１を有し、係止部２１を縮径して係合穴１９を通過可能に変形できるよう４つに分割されている。
【００４１】
さらに、図１２に、本発明の第５実施形態のトリガスイッチにかかるトリガ３とロック部材５とを示す。本実施形態では、第４実施形態とは反対に、トリガ３に係合突起２０が設けられ、ロック部材５に係合穴１９が設けられている。
【図面の簡単な説明】
【００４２】
【図１】本発明の第１実施形態のトリガスイッチの側面図。
【図２】図１のトリガスイッチのトリガの斜視図。
【図３】図１のトリガスイッチのロック部材の斜視図。
【図４】図１のトリガスイッチの断面部分側面図。
【図５】図１のトリガスイッチの断面部分背面図。
【図６】図１のトリガスイッチのトリガとロック部材との可動範囲を示す底面図。
【図７】図１のトリガスイッチのトリガとロック部材との可動範囲を示す側面図。
【図８】本発明の第２実施形態のトリガスイッチの部分側面図。
【図９】本発明の第３実施形態のトリガスイッチの部分側面図。
【図１０】本発明の第４実施形態のトリガスイッチの部分側面図。
【図１１】図１０のトリガスイッチのロック部材の平面図。
【図１２】本発明の第５実施形態のトリガスイッチの部分側面図。
【符号の説明】
【００４３】
１…トリガスイッチ
２…ハウジング
３…トリガ
４…案内溝
５…ロック部材
７…ロックボタン
９ａ，９ｂ…内向きの突起
１０…スリット
１１ａ，１１ｂ…外向きの突起
１２ａ，１２ｂ…第１規制部
１３ａ，１３ｂ…第２規制部
１４…第２規制部
１５ａ，１５ｂ…外向きの突起
１６ａ，１６ｂ…内向きの突起
１７…第１規制部
１８ａ，１８ｂ…第２規制部
１９…係合穴
２０…係止突起
【図１】
2010023220.tif 000003
【図２】
2010023220.tif 000004
【図３】
2010023220.tif 000005
【図４】
2010023220.tif 000006
【図５】
2010023220.tif 000007
【図６】
2010023220.tif 000008
【図７】
2010023220.tif 000009
【図８】
2010023220.tif 000010
【図９】
2010023220.tif 000011
【図１０】
2010023220.tif 000012
【図１１】
2010023220.tif 000013
【図１２】
2010023220.tif 000014